(57)【特許請求の範囲】
【請求項１】
軒天下地材に取り付けられて軒天井材の端部を支持する支持金物であって、
前記軒天井材の上面と接触する上面接触部と、前記軒天下地材に取り付けられる取付上面とを有する上部支持片と、
前記軒天井材の下面と接触する下面接触部と、前記軒天下地材に取り付けられる取付下面とを有する下部支持片と、
前記取付上面と前記取付下面との互いの対向部位にそれぞれ貫通すると共に、前記上面接触部及び前記下面接触部を建物の外壁側に離隔または接近させる方向に沿って形成され且つ軒天下地材に固定するための固定具の軸部を挿通する穴または切り欠き溝と、
前記固定具の頭部を挿通することができる前記穴または切り欠き溝に繋がる切り欠き又は開口と、
前記上面接触部及び前記下面接触部と、前記取付上面及び前記取付下面との間に設けられ、前記取付上面と前記取付下面の少なくとも一方に直交し、前記軒天井材を介して、前記上面接触部と前記下面接触部とを繋ぎ得る繋ぎ片と、
を有し、
前記切り欠き又は開口は、前記繋ぎ片に設けられ、
前記上面接触部と前記下面接触部との離間間隔が初期状態では前記軒天井材の厚さよりも大きく設定され、
前記固定具の頭部を前記切り欠き又は開口から挿入し、該固定具の軸部を前記穴または切り欠き溝に挿入して前記軒天下地材に締結するのに伴って前記上面接触部と前記下面接触部とが互いに接近し得るように構成されたことを特徴とする支持金物。
【請求項２】
建物の軒裏に軒天井材を取り付ける取付構造であって、
予め建物の外壁側に前記軒天井材の一端を支持する支持部材を取り付けておき、該軒天井材の他端部を請求項１に記載の支持金物により挟持して建物の軒先側の軒天下地材に固定したことを特徴とする軒天井材の取付構造。
【発明の詳細な説明】
【技術分野】
【０００１】
本発明は、軒天下地材に取り付けられて軒天井材の端部を支持する支持金物、並びに建物の軒裏に軒天井材を取り付ける取付構造に関するものである。
【背景技術】
【０００２】
従来、建物の軒裏に軒天井材を張る上で、軒天下地材となる野縁を壁側、或いは鼻隠し側に設けると共に、所定の間隔で梯子形状に野縁を組むことが一般的であるが、軒天井材は重量が重く、施工が容易でない他、壁面と軒天井材との隙間をコーキング材等で蓋う処理を行う必要がある。
【０００３】
このような問題を解決するためには、壁側に軒天井材を支持する断面コ字形状の見切り材を設けて軒天井材の施工性を高めると共に、コーキング材により蓋う処理を不要としてコスト削減と意匠性の改善を行うものもある。
【０００４】
また、建物の寿命向上を図るため、小屋裏に通気を図る工法が採用されており、前述した壁側に軒天井材を支持する断面コ字形状の見切り材に通気経路を設けた通気見切り材を使用することも行われる。壁側に通気見切り材を設ける場合、強風雨時に居室側へ雨水が侵入する可能性があるため通気経路を複雑にしたり止水用部材を設ける必要があり、設計が困難で、コスト高となる等の問題があった。
【０００５】
このような問題を解決するために、居室から遠い軒先側へ通気見切り材を取り付ける技術が特許文献１、２により提案されている。
【先行技術文献】
【特許文献】
【０００６】
【特許文献１】特許第３１８１１０６号公報
【特許文献２】特許第３５２１００６号公報
【発明の概要】
【発明が解決しようとする課題】
【０００７】
しかしながら、前述の特許文献１の技術では、軒天井材を支持するために壁側に軒天下地材となる野縁を施工する必要があったため施工に手間がかかりコスト高となるという問題があった。また、特許文献２の技術では、軒先側の取付金具は部品点数が多く且つ構造が複雑であり、壁側は軒天下地材となる野縁に軒天井材を釘打ちする必要があり、更に壁面と軒天井材との隙間をコーキング材等で塞ぐか、後付けのカバー材で塞ぐ必要がある。また、勾配軒の場合は、軒天井材を斜めにして挿入するスペースが狭いため軒天井材を下方から挿入できないといった問題がある。また、壁側にコ字形状の見切り材を取り付ける場合には軒天井材に見切り材を差し込みながら見切り材を壁側に取り付ける必要があり容易に施工が出来ないといった問題があった。
【０００８】
本発明は前記課題を解決するものであり、その目的とするところは、施工性が良く安価にできる軒天井材の支持金物、及び軒天井材の取付構造を提供せんとするものである。
【課題を解決するための手段】
【０００９】
前記目的を達成するための本発明に係る支持金物は、軒天下地材に取り付けられて軒天井材の端部を支持する支持金物であって、前記軒天井材の上面と接触する上面接触部と、前記軒天下地材に取り付けられる取付上面とを有する上部支持片と、前記軒天井材の下面と接触する下面接触部と、前記軒天下地材に取り付けられる取付下面とを有する下部支持片と、前記取付上面と前記取付下面との互いの対向部位にそれぞれ貫通すると共に、前記上面接触部及び前記下面接触部を建物の外壁側に離隔または接近させる方向に沿って形成され且つ軒天下地材に固定するための固定具の軸部を挿通する穴または切り欠き溝と、前記固定具の頭部を挿通することができる前記穴または切り欠き溝に繋がる切り欠き又は開口と、前記上面接触部及び前記下面接触部と、前記取付上面及び前記取付下面との間に設けられ、前記取付上面と前記取付下面の少なくとも一方に直交し、前記軒天井材を介して、前記上面接触部と前記下面接触部とを繋ぎ得る繋ぎ片と、を有し、前記切り欠き又は開口は、前記繋ぎ片に設けられ、前記上面接触部と前記下面接触部との離間間隔が初期状態では前記軒天井材の厚さよりも大きく設定され、前記固定具の頭部を前記切り欠き又は開口から挿入し、該固定具の軸部を前記穴または切り欠き溝に挿入して前記軒天下地材に締結するのに伴って前記上面接触部と前記下面接触部とが互いに接近し得るように構成されたことを特徴とする。
【００１０】
また、本発明に係る軒天井材の取付構造は、建物の軒裏に軒天井材を取り付ける取付構造であって、予め建物の外壁側に前記軒天井材の一端を支持する支持部材を取り付けておき、該軒天井材の他端部を前記支持金物により挟持して建物の軒先側の軒天下地材に固定したことを特徴とする。
【発明の効果】
【００１１】
本発明によれば、施工の際に固定具を支持金物の取付穴に挿通して支持金物を仮固定する必要が無く、固定具だけを予め軒天下地材に連続して仮固定しておくことができる。そして、軒天井材を固定する際に支持金物を外部から固定具に挿通し、固定具を軒天下地材に締結することが出来るため施工性が向上する。
【図面の簡単な説明】
【００１２】
【図１】本発明に係る支持金物の第１実施形態を用いて建物の軒裏に軒天井材を水平軒として取り付ける様子を示す断面説明図である。
【図２】本発明に係る支持金物の第１実施形態を用いて建物の軒裏に軒天井材を傾斜軒として取り付ける様子を示す断面説明図である。
【図３】本発明に係る支持金物の第１実施形態の構成を示す斜視図及び三面図である。
【図４】水平軒の場合に外壁に取り付ける断面コ字形状の支持部材の一例を示す三面図である。
【図５】傾斜軒の場合に外壁に取り付ける断面コ字形状の支持部材の一例を示す三面図である。
【図６】軒先カバー材の一例を示す三面図である。
【図７】本発明に係る支持金物の第２実施形態の構成を示す斜視図及び三面図である。
【図８】本発明に係る支持金物の第２実施形態を用いて建物の軒裏に軒天井材を水平軒として取り付ける様子を示す断面説明図である。
【図９】本発明に係る支持金物の第３実施形態の構成を示す斜視図及び三面図である。
【図１０】本発明に係る支持金物の第３実施形態を用いて建物の軒裏に軒天井材を水平軒として取り付ける様子を示す断面説明図である。
【図１１】第１〜第３実施形態のそれぞれの支持金物に締結位置決めガイドを設けた第４〜第６実施形態の支持金物の構成を示す斜視図である。
【図１２】（ａ）は第６実施形態の支持金物の仮止め位置決めガイドを軒天下地材の裏面側に当接して支持金物の仮止め位置を固定する様子を示す図、（ｂ）は第６実施形態の支持金物の締結位置決めガイドを軒天下地材の表面側に当接して支持金物の締結位置を固定する様子を示す図である。
【図１３】本発明に係る支持金物の第７実施形態を用いて建物の軒裏に軒天井材を水平軒として取り付ける様子を示す断面説明図である。
【図１４】本発明に係る支持金物の第７実施形態を用いて建物の軒裏に軒天井材を傾斜軒として取り付ける様子を示す断面説明図である。
【図１５】本発明に係る支持金物の第７実施形態の構成を示す斜視図及び三面図である。
【図１６】本発明に係る支持金物の第８実施形態の構成を示す斜視図及び三面図である。
【図１７】本発明に係る支持金物の第８実施形態を用いて建物の軒裏に軒天井材を水平軒として取り付ける様子を示す断面説明図である。
【図１８】本発明に係る支持金物の第９実施形態の構成を示す斜視図及び三面図である。
【図１９】本発明に係る支持金物の第９実施形態を用いて建物の軒裏に軒天井材を水平軒として取り付ける様子を示す断面説明図である。
【図２０】第７〜第９実施形態のそれぞれの支持金物に締結位置決めガイドを設けた第１０〜第１２実施形態の支持金物の構成を示す斜視図である。
【図２１】（ａ）は第１２実施形態の支持金物の仮止め位置決めガイドを軒天下地材の裏面側に当接して支持金物の仮止め位置を固定する様子を示す図、（ｂ）は第１２実施形態の支持金物の締結位置決めガイドを軒天下地材の表面側に当接して支持金物の締結位置を固定する様子を示す図である。
【発明を実施するための形態】
【００１３】
図により本発明に係る軒天井材の支持金物、及び軒天井材の取付構造の一実施形態を具体的に説明する。
【００１４】
［実施例１］
【００１５】
先ず、図１〜図６を用いて、本発明に係る軒天井材の支持金物、及び軒天井材の取付構造の第１実施形態について説明する。図３は本発明に係る軒天井材の支持金物の第１実施形態の構成を示しており、図１〜図３において、支持金物１は、建物の軒先側に設けられた軒天下地材となる鼻隠し材２に釘やビス等の固定具３により取り付けられて軒天井材４の軒先側の端部を支持する。
【００１６】
支持金物１は、図３に示すように、軒天井材４の上面と接触する上面接触部となる水平片1a3を有する上部支持片１ａと、該軒天井材４の下面と接触する下面接触部となる水平片1b3を有する下部支持片１ｂと、該上部支持片１ａと下部支持片１ｂとの互いの対向部位にそれぞれ貫通すると共に、該水平片1a3及び水平片1b3を建物の外壁５側に離隔または接近させる方向に沿って形成され且つ鼻隠し材２に固定するための固定具３を挿通する切り欠き溝1a4，1b4とを有する。本実施形態の切り欠き溝1a4は上部支持片１ａの水平片1a1から垂下片1a2に亘って形成され、切り欠き溝1b4は該切り欠き溝1a4に重なるように下部支持片１ｂの水平片1b1から垂下片1b2に亘って形成される。
【００１７】
支持金物１の上部支持片１ａの水平片1a3と、下部支持片１ｂの水平片1b3との離間間隔は、図３に示す初期状態（自然状態）では軒天井材４の厚さよりも大きく設定され、図１（ｃ）及び図２（ｃ）に示すように、固定具３を支持金物１の切り欠き溝1a4，1b4に挿入し、上部支持片１ａと下部支持片１ｂとの折曲部１ｃの弾性力に抗して固定具３を鼻隠し材２に締結するのに伴って水平片1a3と水平片1b3とが互いに接近し、該水平片1a3と水平片1b3とにより軒天井材４を挟持して固定し得るように構成される。
【００１８】
本実施形態の支持金物１は、バネ性を有する金属板を１８０度近くまで折り返した折曲部１ｃに弾性を持たせ、折り曲げた一方の片を上部支持片１ａとすると共に、該上部支持片１ａの折曲部１ｃから所定寸法離隔した部位からクランク状に折り曲げて先端部分に平板状の水平片1a3を形成し、且つ折り曲げた他方の片を下部支持片１ｂとすると共に、該下部支持片１ｂの折曲部１ｃから所定寸法離隔した部位からクランク状に折り曲げて平板状の水平片1b3を形成したものである。
【００１９】
支持金物１の折曲部１ｃは中央の一部を切り欠いて弱い部分を作って折曲部１ｃの弾性力が調整されており、この弾性力に抗して釘やビス等の固定具３を鼻隠し材２の下面２ａに締結することで比較的小さな力であっても水平片1a3と水平片1b3とが互いに接近し軒天井材４を強固に挟み込めるように構成される。また、軒天井材４の厚みの変位に対しても対応できる構成とされる。
【００２０】
そして、上部支持片１ａと下部支持片１ｂとが重なる部位で折曲部１ｃに連続されるそれぞれの水平片1a1，1b1と、該水平片1a1，1b1に連続されるそれぞれの垂下片1a2，1b2との互いの対向部位にそれぞれ貫通すると共に、水平片1a3及び水平片1b3を建物の外壁５側に離隔または接近させる方向に沿って形成され且つ鼻隠し材２に固定するための固定具３を挿通する切り欠き溝1a4，1b4が互いに重なるようにして形成される。
【００２１】
図１は図３に示す第１実施形態の支持金物１を用いて、建物の軒裏に軒天井材４を水平軒として取り付ける場合の取付方法の一例を示し、図２は図３に示す第１実施形態の支持金物１を用いて、建物の軒裏に軒天井材４を傾斜軒として取り付ける場合の取付方法の一例を示す。図１及び図２において、先ず、予め建物の外壁５に軒天井材４の外壁５側の一端を支持する図４及び図５に示す断面コ字形状の支持部材６を釘やビス等の固定具３により取り付けておく。
【００２２】
図４に示すように、水平軒用の支持部材６は、軒天井材４の下面を支持する下部支持片６ａと、該下部支持片６ａよりも軒先側に所定の長さ突出し軒天井材４の上面を拘束する上部支持片６ｂと、これらを連結する固定片６ｃとを有して断面コ字形状に形成される。下部支持片６ａ及び上部支持片６ｂはそれぞれ固定片６ｃに対して略直角に折曲されており、該下部支持片６ａ及び上部支持片６ｂは水平方向に配置されている。
【００２３】
一方、図５に示すように、傾斜軒用の支持部材６は、軒天井材４の下面を支持する下部支持片６ａと、該下部支持片６ａよりも軒先側に所定の長さ突出し軒天井材４の上面を拘束する上部支持片６ｂと、これらを連結する固定片６ｃとを有して断面コ字形状に形成される。下部支持片６ａ及び上部支持片６ｂはそれぞれ固定片６ｃに対して軒天井材４の傾斜角度に対応する角度に傾斜して折曲されており、該下部支持片６ａ及び上部支持片６ｂは軒天井材４の傾斜角度に対応した傾斜角度に配置されている。
【００２４】
本実施形態では、支持金物１の切り欠き溝1a4，1b4の開口側から固定具３の軸部３ｂを該切り欠き溝1a4，1b4内に挿入することが出来る。固定具３の軸部３ｂの外径は切り欠き溝1a4，1b4のスリット幅よりも小さく、固定具３の頭部３ａの外径は切り欠き溝1a4，1b4のスリット幅よりも大きく設定されている。
【００２５】
そして、図１（ａ）及び図２（ａ）に示すように、先ず、固定具３の軸部３ｂの一部を鼻隠し材２の下面２ａに仮止めしておく。一方、断面コ字形状の支持部材６の固定片６ｃを釘やビス等の固定具３により建物の外壁５に固定して支持部材６を取り付ける。
【００２６】
そして、図１（ｂ）及び図２（ｂ）に示すように、軒天井材４の軒先側を低く、外壁５側を高くして斜めの状態で該軒天井材４の外壁５側の一端を建物の外壁５に取り付けた断面コ字形状の支持部材６の下部支持片６ａと上部支持片６ｂとの間に挿入して挟み込んで支持させ、軒天井材４の軒先側の他端を支持金物１の水平片1a3と水平片1b3との間に挿入すると共に、支持金物１の切り欠き溝1a4，1b4の開口側から鼻隠し材２の下面２ａに仮固定した固定具３の軸部３ｂを該切り欠き溝1a4，1b4内に挿入し、該切り欠き溝1a4，1b4に沿って支持部材６を建物の外壁５側に接近させる方向に図１（ｃ）及び図２（ｃ）に示す位置までスライドさせ、支持金物１の折曲部１ｃの弾性力に抗して固定具３を鼻隠し材２に締結して支持金物１の水平片1b3を水平片1a3に接近させることで軒天井材４を挟持して固定する。
【００２７】
尚、鼻隠し材２の下面２ａに仮固定した固定具３の軸部３ｂを支持金物１の切り欠き溝1a4，1b4内に挿通して該支持金物１を鼻隠し材２に仮固定しておくことも出来る。
【００２８】
そして、図１（ｄ）及び図２（ｄ）に示すように、鼻隠し材２から支持金物１に亘って全体を覆うと共に通気穴７ａが形成された図６に示す断面Ｊ字形状の軒先カバー材７を鼻隠し材２の表面２ｃ側に図示しない釘やビス等により固定する。軒天井材４の軒先側の端部を支持する各支持金物１は鼻隠し材２の長手方向（図１及び図２の紙面奥側から手前側方向）に沿って所定のピッチで設けられており、各支持金物１間には通気空間が形成される。そして、屋根８、鼻隠し材２、軒先カバー材７、軒天井材４、外壁５とにより形成された小屋裏空間９には軒先カバー材７に設けられた通気穴７ａを介して外気との通気が行われる。通気穴７ａ付きの軒先カバー材７を設けることで、防水上有利な軒先部から小屋裏空間９に通気を図ることが出来る。
【００２９】
このように、本実施形態の軒天井材４の取付構造は、建物の軒裏に軒天井材４を取り付ける取付構造であって、建物の外壁５に固定された断面コ字形状の支持部材６により軒天井材４の外壁５側の一端部を挟み込んで支持すると共に、該軒天井材４の軒先側の他端部を支持金物１により挟持して建物の軒先側の鼻隠し材２に固定される。
【００３０】
上記構成によれば、支持金物１が図３に示す初期状態（自然状態）では上部支持片１ａの水平片1a3と、下部支持片１ｂの水平片1b3との離間間隔が軒天井材４の厚さよりも大きく設定されているため水平片1a3と水平片1b3との間に軒天井材４を片手で容易に差し込むことが出来る。支持金物１には上部支持片１ａと下部支持片１ｂとの互いの対向部位にそれぞれ貫通すると共に、水平片1a3及び水平片1b3を建物の外壁５側に離隔または接近させる方向に沿って形成され且つ軒天下地材となる鼻隠し材２に固定するための固定具３を挿通する切り欠き溝1a4，1b4を有することで、固定具３の軸部３ｂを支持金物１の切り欠き溝1a4，1b4の開口部側から挿通して該支持金物１を建物の外壁５側に離間又は接近可能にスライドすることが出来る。
【００３１】
軒天井材４の外壁５側の一端部を外壁５に固定した断面コ字形状の支持部材６の下部支持片６ａと上部支持片６ｂとの間に挿入して支持させ、該軒天井材４の軒先側の他端部を支持金物１の水平片1a3と水平片1b3との間に挿入し、該支持金物１の切り欠き溝1a4，1b4の開口側から固定具３の軸部３ｂを挿入して該切り欠き溝1a4，1b4に沿って該支持金物１を建物の外壁５側に接近させて仮固定することが出来る。そして、支持金物１の折曲部１ｃの弾性力に抗して固定具３を鼻隠し材２に締結して支持金物１の水平片1b3を水平片1a3に接近させることで該軒天井材４を挟持して固定することが出来る。
【００３２】
これにより、外壁５側に軒天下地材としての野縁を施工する必要が無く、安価で量産性の高い断面コ字形状の支持部材６を軒天井材４の外壁５側の一端を支持する見切り材として使用でき、施工性にも優れる。
【００３３】
また、支持金物１は一体成形で製作することが出来るので部品点数を削減して製作コストが低減でき、支持金物１は軒天井材４が異なる厚さであってもある程度許容出来るので、軒天井材４の厚みのばらつきにも対応可能であり、支持金物１の部品種類も削減できる。
【００３４】
また、外壁５に固定した断面コ字形状の支持部材６の下部支持片６ａと上部支持片６ｂとの間に外壁５側の軒天井材４の一端部を挿入して支持させた状態で、軒先側の軒天井材４の他端部を支持金物１の水平片1a3と水平片1b3との間に片手で挿入することが出来、しかも軒天井材４に取り付けた支持金物１の切り欠き溝1a4，1b4の開口側から固定具３の軸部３ｂを挿入して該切り欠き溝1a4，1b4に沿って該支持金物１を建物の外壁５側に接近させて仮固定することが出来、支持金物１の折曲部１ｃの弾性力に抗して固定具３を鼻隠し材２に締結して支持金物１の水平片1b3を水平片1a3に接近させることで該軒天井材４を挟持して固定することが出来るので、軒天井材４の位置併せ及び取付作業を一人で容易に行うことが出来る。
【００３５】
また、軒天井材４自体を軒天下地材に釘固定する必要が無く、固定具３をビスとすれば電動ドライバーのみで手軽に施工が出来る。また、誤って軒天井材４を施工してしまった場合でもビスを緩めることで軒天井材４を容易に取り外すことが出来、取り付け位置の微調整も容易に出来る。
【００３６】
［実施例２］
次に図７及び図８を用いて本発明に係る軒天井材の支持金物、軒天井材の取付方法及び及び軒天井材の取付構造の第２実施形態について説明する。尚、前記第１実施形態と同様に構成したものは同一の符号を付して説明を省略する。
【００３７】
前記第１実施形態では、支持金物１の上部支持片１ａと下部支持片１ｂとの互いの対向部位にそれぞれ貫通すると共に、水平片1a3及び水平片1b3を建物の外壁５側に離間または接近させる方向に沿って形成され且つ軒天下地材となる鼻隠し材２に固定するための固定具３を挿通する切り欠き溝1a4，1b4を設けて構成したが、本実施形態では、図７に示すように、上部支持片１ａの水平片1a1の中央部の一部が延長され、その延長部1a5に貫通すると共に、水平片1a3及び水平片1b3を建物の外壁５側に離間または接近させる方向に沿って形成され且つ軒天下地材となる鼻隠し材２に固定するための固定具３を挿通する長穴1a6が設けられたものである。
【００３８】
そして、図８（ａ）に示すように、支持金物１の上部支持片１ａの水平片1a1の延長部1a5に貫通して設けられた長穴1a6に固定具３の軸部３ｂを挿通して該固定具３の軸部３ｂの一部を軒先側の軒天下地材となる鼻隠し材２の下面２ａに仮固定することで、支持金物１を鼻隠し材２に仮固定しておく。
【００３９】
固定具３の軸部３ｂの外径は長穴1a6及び下部支持片１ｂの水平片1b1に設けられた切り欠き溝1b4の各スリット幅よりも小さく、固定具３の頭部３ａの外径は該長穴1a6及び切り欠き溝1b4の各スリット幅よりも大きく設定されており、これにより支持金物１が固定具３から脱落することなく仮止めすることができる。
【００４０】
このとき、固定具３の軸部３ｂに係合する支持金物１の建物の外壁５側に離隔または接近させる方向に沿って形成された長穴1a6及び切り欠き溝1b4に沿って該支持金物１を建物の外壁５側に離間又は接近可能に仮固定することが出来る。
【００４１】
そして、支持金物１を固定具３により鼻隠し材２の下面２ａに仮固定し、前記図１及び図２に示して前述した第１実施形態と同様に、外壁５に固定した断面コ字形状の支持部材６の下部支持片６ａと上部支持片６ｂとの間に外壁５側の軒天井材４の一端部を挿入して支持させた状態で、図８（ｂ）に示すように、支持金物１を外壁５側から離間する方向にスライドさせ、図８（ｃ）に示すように、該支持金物１を建物の外壁５側に接近させて軒天井材４の軒先側の他端を支持金物１の水平片1a3と水平片1b3との間に挿入すると共に、固定具３を軒天下地材となる鼻隠し材２に締結して該支持金物１の水平片1b3を水平片1a3に接近させることで軒天井材４を挟持して固定する。
【００４２】
上記構成によれば、支持金物１が図７に示す初期状態（自然状態）では上部支持片１ａの水平片1a3と、下部支持片１ｂの水平片1b3との離間間隔が軒天井材４の厚さよりも大きく設定されているため水平片1a3と水平片1b3との間に軒天井材４を片手で容易に差し込むことが出来る。支持金物１には上部支持片１ａと下部支持片１ｂとの互いの対向部位にそれぞれ貫通すると共に、水平片1a3及び水平片1b3を建物の外壁５側に離隔または接近させる方向に沿って形成され且つ軒天下地材となる鼻隠し材２に固定するための固定具３を挿通する長穴1a6及び切り欠き溝1b4を有することで、固定具３を支持金物１の長穴1a6に挿通して鼻隠し材２に仮固定しておくことで、該支持金物１を建物の外壁５側に離間又は接近可能に仮固定することが出来、支持金物１を建物の外壁５側から離間した状態で軒天井材４の軒先側の一端部を該支持金物１の水平片1a3と水平片1b3との間に挿入し、該支持金物１を建物の外壁５側に接近させて固定具３を介して鼻隠し材２に仮固定することが出来る。そして、固定具３を鼻隠し材２に締結して支持金物１の水平片1b3を水平片1a3に接近させることで該軒天井材４を挟持して固定することが出来る。他の構成は前記第１実施形態と同様に構成され、同様の効果を得ることが出来る。
【００４３】
［実施例３］
次に図９及び図10を用いて本発明に係る軒天井材の支持金物、軒天井材の取付方法及び及び軒天井材の取付構造の第３実施形態について説明する。尚、前記第１、第２実施形態と同様に構成したものは同一の符号を付して説明を省略する。
【００４４】
本実施形態では図９に示すように、図７に示して前述した第２実施形態の支持金物１の上部支持片１ａの両側端部を水平片1a1に沿って延長すると共に、その先端部に軒天下地材となる鼻隠し材２の裏面２ｂに当接して支持金物１の仮止めの位置決めを行う仮止め位置決めガイド1a7が起立して設けられている。そして、図10（ａ）に示すように、支持金物１の上部支持片１ａに設けられた長穴1a6内に固定具３の軸部３ｂを挿入して軒天下地材となる鼻隠し材２の下面２ａに固定具３の軸部３ｂの一部を仮止めして支持金物１を鼻隠し材２の下面２ａに仮止めする際に仮止め位置決めガイド1a7を鼻隠し材２の裏面２ｂに当接して支持金物１を仮止めする際の位置決めを行うことが出来る。そして、図10（ｂ）に示すように、支持金物１を外壁５側にスライドして軒天井材４の軒先側の一端部を該支持金物１の水平片1a3と水平片1b3との間に挿入し、固定具３を鼻隠し材２に締結して支持金物１の水平片1b3を水平片1a3に接近させることで該軒天井材４を挟持して固定することが出来る。他の構成は前記第１、第２実施形態と同様に構成され、同様の効果を得ることが出来る。
【００４５】
［実施例４〜６］
次に図11及び図12を用いて本発明に係る軒天井材の支持金物、及び軒天井材の取付構造の第４〜第６実施形態について説明する。尚、前記各実施形態と同様に構成したものは同一の符号を付して説明を省略する。
【００４６】
図11（ａ）〜（ｃ）に示した各第４〜第６実施形態の支持金物１は、図３、図７、図９にそれぞれ示して前述した第１〜第３実施形態の支持金物１において、支持金物１の上部支持片１ａの水平片1a1の折曲部１ｃ側の端部から起立した締結位置決めガイド1a8が設けられたものである。そして、図12（ａ）に示すように、支持金物１を建物の外壁５側から離間した状態で軒天井材４の軒先側の一端部を該支持金物１の水平片1a3と水平片1b3との間に挿入し、該支持金物１を建物の外壁５側に接近させて固定具３を介して鼻隠し材２に仮固定した後、図12（ｂ）に示すように、軒天下地材となる鼻隠し材２の表面２ｃに支持金物１の締結位置決めガイド1a8を当接して支持金物１を締結する際の位置決めを行うことが出来、固定具３を鼻隠し材２に締結して支持金物１の水平片1b3を水平片1a3に接近させることで該軒天井材４を挟持して固定することが出来る。図12（ａ）は図11（ｃ）に示す第６実施形態の支持金物１の仮止め位置決めガイド1a7を軒天下地材となる鼻隠し材２の裏面２ｂ側に当接して支持金物１の仮止め位置を固定する様子を示す図であり、図12（ｂ）は図11（ｃ）に示す第６実施形態の支持金物１の締結位置決めガイド1a8を軒天下地材となる鼻隠し材２の表面２ｃ側に当接して支持金物１の締結位置を固定する様子を示す図である。他の構成は前記実施形態と同様に構成され、同様の効果を得ることが出来る。
【００４７】
［実施例７］
次に図13〜図15を用いて本発明に係る軒天井材の支持金物、軒天井材の取付方法及び及び軒天井材の取付構造の第７実施形態について説明する。尚、前記第１実施形態と同様に構成したものは同一の符号を付して説明を省略する。
【００４８】
本実施形態では図15に示すように、図３に示して前述した第１実施形態の支持金物１の上部支持片１ａの水平片1a1を下部支持片１ｂの下面接触部となる水平片1b3に対応する位置まで張り出し、該水平片1a1から折曲して垂下する垂下片1a2の下端部を軒天井材４の上面と接触する上面接触部としたものである。
【００４９】
そして、前述した第１実施形態と同様に、図13及び図14に示すように、軒天下地材となる鼻隠し材２の下面２ａに固定具３の軸部３ｂの一部を仮止めし、外壁５に支持部材６を固定し、鼻隠し材２の下面２ａに仮止めした固定具３の軸部３ｂを支持金物１の上部支持片１ａに形成した切り欠き溝1a4の開口側から挿入して支持金物１を固定具３を介して鼻隠し材２の下面２ａに仮止めし、支持部材６の下部支持片６ａと上部支持片６ｂとの間に外壁５側の軒天井材４の一端部を挿入して支持させ、支持金物１を外壁５側に接近させて鼻先側の軒天井材４の他端部を支持金物１の上部支持片１ａの垂下片1a2の下端部からなる上面接触部と、下部支持片１ｂの水平片1b3からなる下面接触部との間に挿入すると共に、固定具３を鼻隠し材２の下面２ａに締結して支持金物１の下面接触部となる水平片1b3を上面接触部となる垂下片1a2の下端部に近接させることで軒天井材４を挟持して固定する。尚、支持金物１を軒天下地材となる鼻隠し材２に仮固定することなく、支持金物１の切り欠き溝1a4，1b4に固定具３の軸部３ｂを挿通すると同時に上部支持片１ａの垂下片1a2の下端部と下部支持片１ｂの水平片1b3との間に軒天井材４を挿入して固定具３を締結することもできる。他の構成は前記第１実施形態と同様に構成され、同様な効果を得ることが出来る。
【００５０】
［実施例８］
次に図16及び図17を用いて本発明に係る軒天井材の支持金物、軒天井材の取付方法及び及び軒天井材の取付構造の第８実施形態について説明する。尚、前記各実施形態と同様に構成したものは同一の符号を付して説明を省略する。
【００５１】
本実施形態では図15に示して前述した第７実施形態の支持金物１の上部支持片１ａに形成された切り欠き溝1a4の代わりに、図16に示すように、上部支持片１ａの水平片1a1に長穴1a6を形成したものである。そして、予め建物の外壁５に軒天井材４の外壁５側の一端を支持する支持部材６を取り付けておき、図17（ａ），（ｂ）に示されたように、固定具３を支持金物１の長穴1a6に挿通して軒天下地材となる鼻隠し材２の下面２ａに外壁５側から離間、或いは近接する位置にスライド可能に仮固定しておく。そして、軒天井材４の外壁５側の一端を支持部材６に支持させ、図17（ｃ）に示されたように、支持金物１を建物の外壁５側にスライドさせて近接させて該軒天井材４の軒先側の他端を該支持金物１の上面接触部となる垂下片1a2の下端部と、下面接触部となる水平片1b3との間に挿入し、固定具３を軒天下地材となる鼻隠し材２に締結して支持金物１の下面接触部となる水平片1b3を上面接触部となる水平片1b3に近接させ、軒天井材４を挟持して取り付ける。他の構成は前記各実施形態と同様に構成され、同様の効果を得ることが出来る。
【００５２】
［実施例９］
次に図18及び図19を用いて本発明に係る軒天井材の支持金物、軒天井材の取付方法及び及び軒天井材の取付構造の第９実施形態について説明する。尚、前記各実施形態と同様に構成したものは同一の符号を付して説明を省略する。
【００５３】
本実施形態では図16に示して前述した第８実施形態の支持金物１の上部支持片１ａの両側端部を水平片1a1に沿って延長すると共に、その先端部に軒天下地材となる鼻隠し材２の裏面２ｂに当接して支持金物１の仮止めの位置決めを行う仮止め位置決めガイド1a7が起立して設けられている。そして、図19（ａ）に示すように、支持金物１の上部支持片１ａに設けられた長穴1a6内に固定具３の軸部３ｂを挿入して軒天下地材となる鼻隠し材２の下面２ａに固定具３の軸部３ｂの一部を仮止めして支持金物１を鼻隠し材２の下面２ａに仮止めする際に仮止め位置決めガイド1a7を鼻隠し材２の裏面２ｂに当接して支持金物１を仮止めする際の位置決めを行うことが出来る。そして、図19（ｂ）に示すように、支持金物１を外壁５側にスライドして軒天井材４の軒先側の一端部を該支持金物１の垂下片1a2の下端部と水平片1b3との間に挿入し、固定具３を鼻隠し材２に締結して支持金物１の水平片1b3を垂下片1a2の下端部に接近させることで該軒天井材４を挟持して固定することが出来る。他の構成は前記各実施形態と同様に構成され、同様の効果を得ることが出来る。
【００５４】
［実施例１０〜１２］
次に図20を用いて本発明に係る軒天井材の支持金物、軒天井材の取付方法及び及び軒天井材の取付構造の第１０〜第１２実施形態について説明する。尚、前記各実施形態と同様に構成したものは同一の符号を付して説明を省略する。
【００５５】
図20（ａ）〜（ｃ）に示した各第１０〜第１２実施形態の支持金物１は、図15、図16、図18にそれぞれ示して前述した第７〜第９実施形態の支持金物１において、支持金物１の上部支持片１ａの水平片1a1の折曲部１ｃ側の端部から起立した締結位置決めガイド1a8が設けられたものである。そして、図21（ａ）に示すように、支持金物１を建物の外壁５側から離間した状態で軒天井材４の軒先側の一端部を該支持金物１の垂下片1a2の下端部と水平片1b3との間に挿入し、該支持金物１を建物の外壁５側に接近させて固定具３を介して鼻隠し材２に仮固定した後、図21（ｂ）に示すように、軒天下地材となる鼻隠し材２の表面２ｃに支持金物１の締結位置決めガイド1a8を当接して支持金物１を締結する際の位置決めを行うことが出来、固定具３を鼻隠し材２に締結して支持金物１の水平片1b3を垂下片1a2の下端部に接近させることで該軒天井材４を挟持して固定することが出来る。図21（ａ）は図20（ｃ）に示す第１２実施形態の支持金物１の仮止め位置決めガイド1a7を軒天下地材となる鼻隠し材２の裏面２ｂ側に当接して支持金物１の仮止め位置を固定する様子を示す図であり、図21（ｂ）は図20（ｃ）に示す第１２実施形態の支持金物１の締結位置決めガイド1a8を軒天下地材となる鼻隠し材２の表面２ｃ側に当接して支持金物１の締結位置を固定する様子を示す図である。他の構成は前記各実施形態と同様に構成され、同様の効果を得ることが出来る。
【産業上の利用可能性】
【００５６】
本発明の活用例として、軒天下地材に取り付けられて軒天井材の端部を支持する支持金物、並びに建物の軒裏に軒天井材を取り付ける取付構造に適用出来る。
【符号の説明】
【００５７】
１    …支持金物
１ａ  …上部支持片
１ｂ  …下部支持片
１ｃ  …折曲部
1a1，1b1 …水平片
1a2，1b2 …垂下片
1a3   …水平片(上面接触部)
1b3   …水平片(下面接触部)
1a4，1b4 …切り欠き溝
1a5   …延長部
1a6   …長穴
1a7   …仮止め位置決めガイド
1a8   …締結位置決めガイド
２    …鼻隠し材(軒天下地材)
２ａ  …下面
２ｂ  …裏面
２ｃ  …表面
３    …固定具
３ａ  …頭部
３ｂ  …軸部
４    …軒天井材
５    …外壁
６    …支持部材
６ａ  …下部支持片
６ｂ  …上部支持片
６ｃ  …固定片
７    …軒先カバー材
７ａ  …通気穴
８    …屋根
９    …小屋裏空間
【図１】
0005777864.tif 000002
【図２】
0005777864.tif 000003
【図３】
0005777864.tif 000004
【図４】
0005777864.tif 000005
【図５】
0005777864.tif 000006
【図６】
0005777864.tif 000007
【図７】
0005777864.tif 000008
【図８】
0005777864.tif 000009
【図９】
0005777864.tif 000010
【図１０】
0005777864.tif 000011
【図１１】
0005777864.tif 000012
【図１２】
0005777864.tif 000013
【図１３】
0005777864.tif 000014
【図１４】
0005777864.tif 000015
【図１５】
0005777864.tif 000016
【図１６】
0005777864.tif 000017
【図１７】
0005777864.tif 000018
【図１８】
0005777864.tif 000019
【図１９】
0005777864.tif 000020
【図２０】
0005777864.tif 000021
【図２１】
0005777864.tif 000022